(57)【要約】【課題】移動販売車の流し台から排出された排水を貯めたプラスチックタンクを、車外に搬出しなくても排水を排出できるシンク排水設備を提供する。【解決手段】本考案におけるシンク排水設備は、外部から供給される水を受けるシンク部と、シンク部に設けられた排水孔を介してシンク部と連通し、シンク部の下方に配設される排水溜り部と、を備え、排水溜り部には外部排水管に接続される排出口が設けられる。【選択図】図３
0003235646.tif 000002
【実用新案登録請求の範囲】
【請求項１】
外部から供給される水を受けるシンク部と、
前記シンク部に設けられた排水孔を介して前記シンク部と連通し、前記シンク部の下方に配設される排水溜り部と、を備え、
前記排水溜り部には外部排水管に接続される排出口が設けられるシンク排水設備。
【請求項２】
外部から供給される水を受けるシンク部と、
前記シンク部に設けられた排水孔を介して前記シンク部と連通し、前記シンク部の下方に配設される排水溜り部と、を備え、
前記排水溜り部には外部排水管に接続される排出口が設けられ、前記シンク部及び前記排水溜まり部がハウジング内に収納され、前記排水溜まり部が前記ハウジングと一体に形成されるシンク排水設備。
【請求項３】
外部から供給される水を受けるシンク部と、
前記シンク部に設けられた排水孔を介して前記シンク部と連通し、前記シンク部の下方に配設される排水溜り部と、を備え、
前記排水溜り部には外部排水管に接続される排出口が設けられ、前記シンク部と前記排水溜まり部が仕切板によって画定されているシンク排水設備。
【請求項４】
前記シンク部が前記ハウジングに着脱可能に取付けられている請求項２又は３に記載のシンク排水設備。
【請求項５】
前記排水溜まり部が一対設けられ、両者が連結管によって連通されている請求項１乃至４のいずれかに記載のシンク排水設備。
【考案の詳細な説明】
【技術分野】
【０００１】
本考案はシンク排水設備に係り、特に移動販売車の装備に有用なシンク排水設備に関するものである。
【背景技術】
【０００２】
従来から移動販売車の排水設備としては、流し台の下部に排水貯留用のプラスチックタンクを設置した排水設備が知られている。この排水設備は、流し台からの排水をプラスチックタンクに溜め、その後プラスチックタンクを流し台の下部から車外へ搬出し下水等へ排水するものである（非特許文献１参照）
【先行技術文献】
【非特許文献】
【０００３】
【非特許文献１】移動販売車製造販売  専門店「ＢｏｃｃＫｉｔｃｈｅｎＣａｒ」https://ameblo.jp/shinsankou/entry-12257781715.htmlＵＲＬ最終閲覧日  ２０２１年９月２１日最終閲覧
【考案の概要】
【考案が解決しようとする課題】
【０００４】
しかしながら、上記特許文献１に記載された排水設備にあっては、排水を貯めるプラスチックタンクに溜まった排水を下水等に排出するには、流し台の下部からプラスチックタンクを搬出しなければならない。さらに、排水が溜まった重いプラスチックタンクをその都度搬出するのは手間が掛かり煩雑であるばかりでなく、排水に直接触れることもあり不衛生であった。
【０００５】
本考案は、上記の課題に鑑みなされたものであり、移動販売車の流し台から排出された排水を貯めたプラスチックタンクを、車外に搬出しなくても排水が可能なシンク排水設備を提供することを目的とする。
【課題を解決するための手段】
【０００６】
本考案におけるシンク排水設備は、外部から供給される水を受けるシンク部と、シンク部に設けられた排水孔を介してシンク部と連通し、シンク部の下方に配設される排水溜まり部と、を備え、排水溜まり部には外部排水管に接続される排出口が設けられる。
【考案の効果】
【０００７】
本考案のシンク排水設備によれば、排水溜まり部には外部排水管に接続される排出口が設けられているので、排水溜まり部に溜まった排水を排出口から直接外部に排出することができ、従来のようにプラスチックタンクを車外に搬出する手間を省くことができる。
【図面の簡単な説明】
【０００８】
【図１】本考案の第１実施形態に係るシンク排水設備の斜視図である。
【図２】（ａ）本考案の第１実施形態に係るシンク排水設備の平面図、（ｂ）本考案の第１実施形態に係るシンク排水設備の正面図、（ｃ）本考案の第１実施形態に係るシンク排水設備の右側面図である。
【図３】図２のＡ−Ａ線断面図である。
【図４】本考案の第２実施形態に係るシンク排水設備の断面図である。
【図５】（ａ）本考案の第３実施形態に係るシンク排水設備の断面図（シンク装着時）、（ｂ）本考案の第３実施形態に係るシンク排水設備の断面図（シンク取り外し時）である。
【図６】図５のＢ部拡大図である。
【図７】本考案の第４実施形態に係るシンク排水設備の断面図である。
【考案を実施するための形態】
【０００９】
以下、本考案のシンク排水設備について、図面を参照しながら各実施形態に基づいて説明する。なお、図面は、シンク排水設備、シンク排水設備の構成部材およびシンク排水設備の周辺部材を模式的に表したものであり、これらの実寸の寸法および寸法比は、図面上の寸法および寸法比と必ずしも一致していない。また、特に断らない限り、便宜上、図１に示すシンク排水設備の向きを基準に、上下などの方向を表わす。重複説明は適宜省略し、同一部材には同一符号を付与することがある。
【００１０】
（第１実施形態）
図１乃至図３には本考案の第１実施形態に係るシンク排水設備１０が示されている。図１乃至図３に示されるように、シンク排水設備１０は、ハウジング８と、背面板１７と、シンク部４と、排出口１４と、脚部１９とを備えている。なお、本実施形態においてシンク部４とは、外部から供給される水を受ける流し台の水溜部を指す。
【００１１】
ハウジング８は、縦長の箱形形状をしており、矩形状の底板８ａと、底板８ａの四周を囲う４枚の側板８ｂと、を備えている。ハウジング８の内部空間には、シンク部４と、排水溜まり部７を設置することが可能な収納部３が形成されている。収納部３の上部にはシンク部４が配設されている。シンク部４の下方には、シンク部４に設けられた排水孔６を介してシンク部４と連通する排水溜まり部７が配設されている。排水溜まり部７には外部排水管２６に接続される排出口１４が設けられている。
【００１２】
シンク排水設備１０は、幅寸法（横方向の寸法）が例えば１ｍ程の箱型形状で、上方から見た形状が左右方向に長く、前方から見た形状が上下方向に長く形成されている。シンク排水設備１０は、上部に背面板１７と、下部に脚部１９を有し、移動販売車の車内の床面に載置されている。ハウジング８の上部の背面板１７は、ハウジング８と着脱自在に設けられているため、背面板１７を取り外して使用することもできるし、背面板１７に蛇口等の給水設備を設けて使用することもできる。また、脚部１９には高さ調整機能を持たせることもできる。
【００１３】
シンク部４は、矩形状の底板２と、底板２の四周を囲う４枚の側板１と、側板１の上端に形成される外向きのフランジ部１１と、で構成されおり、底板２と側板１とにより凹部１３を形成している。底板２と側板１とフランジ部１１とは一体に形成されている。そのため、凹部１３が防水構造となり、外部から供給される水を溜めることができる。前記フランジ部１１が凹部１３の上端外周部に形成されているため、シンク部４はフランジ部１１を介してハウジング８の上部に取り付けられている。なお、ハウジング８の上部内周面には前記フランジ部１１を載せ置くフランジ受け１１’が設けられている。シンク部４は平面視でハウジング８と同一形状をしており、ハウジング８の上部を閉塞している。シンク部４の上部の背面板１７には蛇口等の給水設備を設置できる。給水設備から給水された水はシンク部４の凹部１３に溜めることができる。凹部１３の底板２には、そのほぼ中央部に円形の排水孔６が設けられており、排水孔６には排水管２２が連接されている。シンク部４と排水溜まり部７とは排水孔６および排水管２２により連通しており、シンク部４に供給された水は、排水孔６および排水管２２を介してシンク部４から排水溜まり部７に流入し、排水溜まり部７に排水として貯留される。
【００１４】
前記シンク部４の下方に配設される排水溜まり部７は、ハウジング８の収納部３の下部をほぼ満たす箱形の密閉ケースからなり、四角形状の底板７ａと、底板７ａの四周を囲う４枚の側板７ｂと、底板７ａと対向する天板７ｃとで構成される。排水溜まり部７は、例えば一体に樹脂成形されるか、又は板金加工などによって形成されるため、防水構造となっており、シンク部４から流入する排水を貯留できる。天板７ｃの中央部には前記排水管２２に連結される流入孔７ｄが設けられ、シンク部４からの排水は排水管２２を通じて流入孔７ｄから排水溜まり部７の内部へと流入する。
【００１５】
排水溜まり部７の底板７ａには、内部に溜まった排水を下水口等に流すための排出口１４が設けられている。排水口１４は、例えば直径が約５ｃｍ&#12316;１０ｃｍ程の範囲に設定される。排水溜まり部７の内部に貯留された排水は自重により排出口１４から排出されるが、排出口１４を排水溜まり部７の最も低い位置に設けることで、排水溜まり部７に排水及び固形物を残すことなく排出することができる。排水口１４は底板７ａから下方に突出する円筒体からなり、円筒体の先端部がハウジング８の底板８ａから外部に突出している。そして、円筒体の先端部に既存の連結部材２３を用いて外部排水管２６を接続することにより、排水溜まり部７に溜まった排水をそのまま外部の排水溝等へ流すことができる。
【００１６】
ハウジング８の底板８ａから下方に突出した排出口１４の先端部には、排出口１４を開閉する開閉弁２４が組み込まれている。この開閉弁２４があることにより、排水溜まり部７からの排水の流れを制御することができる。また、この開閉弁２４は、シンク部４の使用時には閉じられて排水を排水溜まり部７に溜めておくことができる。また、排水時には開閉弁２４を開くことにより排水溜まり部７の内部に溜まった排水を流し出すことができる。外部排水管２６を用いて排水溜まり部７から排水を流し出すことにより、排水を車外に容器ごと移動することなく排出することができる。
【００１７】
なお、この実施形態において、前記排水溜まり部７の底板７ａには、前記排出口１４の他に連結用口１４’が設けられている。この連結用口１４’は、シンク排水設備１０を増設して使用する場合に、各々の排水溜まり部７を連結管１６によって接続する際に用いられる。連結用口１４’の構成は、前記排出口１４のそれと同様であってもよい。その場合は、一対の排出口１４を共用してもよい。
【００１８】
（第２実施形態）
図４には本考案の第２実施形態に係るシンク排水設備２０が示されている。このシンク排水設備２０は、以下に説明する点で第１実施形態に係るシンク排水設備１０と相違し、その他の点では、第１実施形態に係るシンク排水設備１０と同一の構成からなる。したがって、同一の構成には同一の符号を用いることで詳細な説明を省略する。
【００１９】
シンク排水設備２０は、排水溜まり部７がハウジング８と一体に形成され、ハウジング８の内部空間である収容部３の下部をそのまま排水溜まり部７として利用している。すなわち、ハウジングの矩形状の底板８ａとこの底板８ａの四周を囲う４枚の側板８ｂとで、ハウジング８と排水溜まり部７を共用している。また、水溜まり部７の天板７ｃは、外周縁に下向きフランジ部７ｅを有し、ハウジング８の側板８ｂの内周面に設けられたＬ形のフランジ受け８ｃに前記下向きフランジ部７ｅを載せ置くことで天板７ｃとして設定される。天板７ｃの中央部には排水管２２が一体に設けられており、排水管２２の上端をシンク部４の排水孔６に接続することで、排水溜まり部７がシンク部４と連通する。ハウジング８の底板８ａには、前記と同様、外部排水管２６に接続される排水口１４が設けられている。排水口１４は、前記実施形態と同様に円筒体からなる。
【００２０】
この実施形態では、ハウジング８の収容部３をそのまま排水溜まり部７として利用しているので、シンク排水設備２０の構造が簡易なものとなるため、安価に供給することができる。また、排水の貯留量を増やすこともできる。
【００２１】
（第３実施形態）
図５（ａ）及び（ｂ）には本考案の第３実施形態に係るシンク排水設備３０が示されている。このシンク排水設備３０は、以下に説明する点で第２実施形態に係るシンク排水設備２０と相違し、その他の点では、第２実施形態に係るシンク排水設備２０と同一の構成からなる。したがって、同一の構成には同一の符号を用いることで詳細な説明を省略する。
【００２２】
この実施形態に係るシンク排水設備３０は、シンク部４と排水溜まり部７とがシンク部４の底板によって仕切られている。すなわち、シンク排水設備３０は、第２実施形態と同様、ハウジング８の収容部３をそのまま排水溜まり部７として利用しており、ハウジング８の上部にシンク部４のみが配設されたものである。シンク部４の底板がシンク部４と排水溜まり部７とを隔てる仕切板２１として機能しており、シンク部４の底板に設けられた排水孔６を通じて排水溜まり部７と連通する。そのため、先の実施形態のように、シンク部４と排水溜まり部７とを連通する排水管２２が不要になることから、図５（ｂ）に示したように、シンク部４をハウジング８から容易に取り外すことができ、排水溜まり部７の内部をきれいに掃除することが可能となる。なお、図６に示されるように、シンク部４の上端に形成される下向きのフランジ部１１をハウジング８の上部内周面に設けたフランジ受け１１’にパッキン２７を介して差し込むだけで、着脱可能に取付けることができる。
【００２３】
この実施形態では、シンク部４と排水溜まり部７とを隔てる仕切板２１として、シンク部の底板を利用しているので、前述の実施形態のような両者を連通する排水管２２が不要となり、シンク排水設備２０の構造がより簡易なものとなるので、より一層安価に供給することができる。また、シンク部４をハウジング８から容易に取り外すことができるので、排水溜まり部７として利用するハウジング内部の収容部３を容易に掃除することもできる。
【００２４】
（第４実施形態）
図７には本考案の第４実施形態に係るシンク排水設備４０が示されている。このシンク排水設備４０は、前記第３実施形態に係るシンク排水設備３０を２台に増設して使用する場合に、互いの排水溜り部７を連結して、両方の排水溜り部７に溜まっている排水を一か所の排出口１４から同時に排水処理できるようにしたものである。各排水溜まり部７に設けられた連結用口１４’は連結管１６によって接続されている。また、排水に際には一方のシンク排水設備４０の排出口１４に外部排水管２６を接続し、他方のシンク排水設備４０の排出口１４は開閉弁２４によって閉じておく。
【００２５】
このシンク排水設備４０では、シンク部４を広く使用することができると共に、一対の排水溜り部７に２倍量の排水を溜めることができる。また、排水を処理する際には、一つの排出口１４に外部排水管２６を接続するだけで、両方の排水溜まり部７に溜まった排水を同時に処理することができる。その際、各排水溜まり部７において、排水は常に同じ高さ位置が保たれながら減り続けることになるので、両方の排水溜まり部７が空になるまで排水を続けることができる。なお、図７ではシンク配設設備４０を２台に増設した場合を示しているが、増設数は適宜設定可能である。また、シンク排水設備４０だけでなく、他のシンク排水設備１０、２０についても増設できるのは勿論である。
【符号の説明】
【００２６】
１      側板
２      底板
３      収容部
４      シンク部
６      排水孔
７      排水溜まり部
７ａ    底板
７ｂ    側板
７ｃ    天板
７ｄ    流入孔
７ｅ    フランジ部
８      ハウジング
８ａ    底板
８ｂ    側板
８ｃ    フランジ受け
１０    シンク排水設備
１１    フランジ部
１１′  フランジ受け
１３    凹部
１４    排出口
１４′  連結用口
１６    連結管
１７    背面板
１９    脚部
２０    シンク排水設備
２１    仕切板
２２    排水管
２３    連結部材
２４    開閉弁
２６    外部排水管
２７    パッキン
３０    シンク排水設備
４０    シンク排水設備
【図１】
0003235646.tif 000003
【図２】
0003235646.tif 000004
【図３】
0003235646.tif 000005
【図４】
0003235646.tif 000006
【図５】
0003235646.tif 000007
【図６】
0003235646.tif 000008
【図７】
0003235646.tif 000009